(57)【要約】【課題】ウエスト側となるヘム部の解れ処理を不要にするとともに、アウターを通してヘム部が外観に現れず、着用時にゴロツキ感等が生じない下半身用肌着を提供する。【解決手段】下半身用肌着の一例であるショーツ１は、ダブル編機によりウエスト部２と身頃部３とがこの順序で編成されたフライス編地で構成され、フライス編地はウエスト部２の緊締力が身頃３部より強くなるように地糸に弾性糸を添えて編成され、ウエスト部２で端部処理が施されていない。【選択図】図１
2014227626.tif 000002
【特許請求の範囲】
【請求項１】
ダブル編機によりウエスト部と身頃部とがこの順序で編成されたフライス編地で構成され、前記ウエスト部の緊締力が前記身頃部より強くなるように編成され、前記ウエスト部で端部処理が施されていない下半身用肌着。
【請求項２】
前記ウエスト部を構成する編地に弾性糸が編成されることにより、前記ウエスト部の緊締力が前記身頃部より強くなるように構成されている請求項１記載の下半身用肌着。
【請求項３】
前記ウエスト部の伸長度が前記身頃部より小さくなるように編成されている請求項１または２記載の下半身用肌着。
【請求項４】
前記ウエスト部を構成する編地に形成されるタック部またはウェルト部の編み目数が前記身頃部より多く形成されることにより、前記ウエスト部の伸長度が前記身頃部より小さくなるように編成されている請求項３記載の下半身用肌着。
【請求項５】
前記ウエスト部及び身頃部が脇縫いの無いシームレスに構成されている請求項１から４の何れかに記載の下半身用肌着。
【請求項６】
請求項１から５の何れかに記載の下半身用肌着に用いられるフライス編地であって、ダブル編機によりウエスト部と身頃部とがこの順序で連続して編成されるとともに、分離帯を挟んで前記ウエスト部及び身頃部が繰り返し編成され、編成後に分離帯で分離可能に構成されているフライス編地。
【請求項７】
前記分離帯が熱溶融糸または引抜き糸で編成されている請求項６記載のフライス編地。
【発明の詳細な説明】
【技術分野】
【０００１】
本発明は、ショーツ等の下半身用肌着及び下半身用肌着に用いられるフライス編地に関する。
【背景技術】
【０００２】
特許文献１に示されているように、丸編機を用いて編成されるピース編地は、筒状の連続編地の筒長手方向に、１〜数コースの分離帯と分離帯に続く身頃部分の編成が繰り返され、後に分離帯で身頃部分が分離された編地である。
【０００３】
このようなピース編地では、分離帯が編成された後に身頃部分を編成するまでの間にヘム処理が施されている。ヘム処理部は、この連続生地を用いて衣類を製作する場合に衣類の裾となる箇所であり、衣類着用時のフィット性や洗濯による伸び防止性を付与することを目的として、ポリウレタン糸等の芯糸の外周にナイロン糸などの被覆糸を一重巻きしたシングルカバードヤーンや被膜糸を二重巻きしたダブルカバードヤーンなどのカバリング糸と、身頃部分を編成する綿糸等の地糸とが交編されている。
【０００４】
このようなピース編地を用いてショーツ等の肌着を構成する場合、ウエスト側となるヘム部は、解れ防止のために編地の端部を折り返して袋状に形成するダブルヘムが採用される場合が多い。
【０００５】
特許文献２には、下半身用の肌着として、筒状編地の編始め端縁を折り返して所定長の編成後に編み付けるとともに、弾性糸を編み込んだ二重編地部をハイウエスト部とし、それに続いて編成された一重編地部の端縁側より、両脚部開口となる略逆Ｕ字形部分を切除して前身頃と後身頃とを形成し、それらの下端縁を縫合してパンティ部を形成したことを特徴とするショーツが開示されている。当該ショーツは、ハイウエスト部となる二重編地部が腹巻として機能するように構成されている。
【先行技術文献】
【特許文献】
【０００６】
【特許文献１】特開２０１１−１４４４７９号公報
【特許文献２】実用新案登録第３０３３３２２号公報
【発明の概要】
【発明が解決しようとする課題】
【０００７】
しかし、このようなダブルヘムは身生地より厚みが増して段部となるために、アウターを通してヘム部が外観に現れる所謂“ひびく”現象が発生しやすく、また着用時にもたつき感やゴロツキ感が発生するという問題があった。
【０００８】
そのため、できるだけヘム部を薄く構成することが望まれているが、ピース編地として薄手の天竺組織を用いると、ヘム部が外側にカールして捲れやすいという問題が発生する。また、ウエスト部からのずり下がりを防止するためにヘム部にテープ状のウエストゴム等を縫着すると、胴周りの肌にウエストゴムが食い込み、着用感が悪くなるという問題もあった。さらに、天竺組織の特性として肌着に用いるには伸びが少なく、身体へのフィット感を出すための適度な締付力が得られないという問題もあった。
【０００９】
本発明の目的は、上述した問題点に鑑み、ウエスト側となるヘム部の解れ処理を不要にするとともに、アウターを通してヘム部が外観に現れず、着用時にゴロツキ感等が生じない下半身用肌着及び下半身用肌着に用いられるフライス編地を提供する点にある。
【課題を解決するための手段】
【００１０】
上述の目的を達成するため、本発明による下半身用肌着の第一の特徴構成は、特許請求の範囲の書類の請求項１に記載した通り、ダブル編機によりウエスト部と身頃部とがこの順序で編成されたフライス編地で構成され、前記ウエスト部の緊締力が前記身頃部より強くなるように編成され、前記ウエスト部で端部処理が施されていない点にある。
【００１１】
ダブル編機により先ずウエスト部が編成され、続いて身頃部が編成されるので、身頃部のヘム部つまり脚部側は解れ止め処理を行なう必要があるが、ウエスト部のヘム部は編み始め側であるので、特に解れ止め処理を行なわなくても解れることが無い。そのようなウエスト部は身頃部より緊締力が強くなるように編成されているため、ウエストゴムを縫着しなくてもずり落ちるようなことが無く、ウエスト部で十分な保持力が得られる。そして、表目と裏目にループが形成されるフライス編地であるため、表裏両面の張力のバランスが保たれて編地が安定し、表側に編地がカールすることもなく、十分な伸びが確保されて身体への良好なフィット感が得られるようになる。
【００１２】
同第二の特徴構成は、同請求項２に記載した通り、上述した第一の特徴構成に加えて、前記ウエスト部を構成する編地に弾性糸が編成されることにより、前記ウエスト部の緊締力が前記身頃部より強くなるように構成されている点にある。
【００１３】
ウエスト部を構成する編地に弾性糸が編成されることにより、別途のウエストゴム等を用いなくても、ウエスト部で身体に対する十分な保持力が得られるとともに、身頃部は十分な伸びが確保されて身体への良好なフィット感が得られる。
【００１４】
同第三の特徴構成は、同請求項３に記載した通り、上述した第一または第二の特徴構成に加えて、前記ウエスト部の伸長度が前記身頃部より小さくなるように編成されている点にある。
【００１５】
ウエスト部で十分な保持力を得るために、弾性糸に加えて或いは弾性糸を用いずに、ウエスト部の伸長度を身頃部より小さく編成することにより、身頃部よりもウエスト部の身体への緊締力が強くなり、これによりずり落ちるようなことが無くなる。
【００１６】
同第四の特徴構成は、同請求項４に記載した通り、上述した第三の特徴構成に加えて、前記ウエスト部を構成する編地に形成されるタック部またはウェルト部の編み目数が前記身頃部より多く形成されることにより、前記ウエスト部の伸長度が前記身頃部より小さくなるように編成されている点にある。
【００１７】
ウエスト部を構成する編地に形成されるタック部またはウェルト部の編み目数が身頃部より多く形成されると、それだけ身頃部に比べて編地の伸び代が制限されるので、ウエスト部の身体への緊締力が強くなる。尚、タック部とは、連続する編成運動の中で編み針のべらを開いたまま糸掛けすることで、旧編み目を編み針に掛けたままで編み目を作らず、次の編成運動で新しく供給した糸とともに形成された編み目を意味し、ウェルト部とは、糸を編み針にかけずに編地の裏に糸を浮かせて作った編み目を指す。
【００１８】
同第五の特徴構成は、同請求項５に記載した通り、上述した第一から第四の何れかの特徴構成に加えて、前記ウエスト部及び身頃部が、脇縫いの無いシームレスに構成されている点にある。
【００１９】
ダブル編機により編成される筒状の編地をそのまま用いれば、脇縫いが無く、肌触りのよい下半身用肌着が得られるようになる。
【００２０】
本発明によるフライス編地の第一の特徴構成は、同請求項６に記載した通り、上述した第一から第五の何れかの特徴構成を備えた下半身用肌着に用いられるフライス編地であって、ダブル編機によりウエスト部と身頃部とがこの順序で連続して編成されるとともに、分離帯を挟んで前記ウエスト部及び身頃部が繰り返し編成され、編成後に分離帯で分離可能に構成されている点にある。
【００２１】
編成後の長尺の筒状の編地が分離帯で分離されることにより、二つの分離帯の間で編成されたウエスト部及び身頃部でピース編地が得られる。このピース編地から分離帯の編み糸を除去しても、ウエスト部のヘム部は編み始め側となるので、特に解れ止め処理を行なわなくても解れることが無く、上述した下半身用肌着を構成するフライス編地として好適に用いることができる。
【００２２】
同第二の特徴構成は、同請求項７に記載した通り、上述の第一特徴構成に加えて、前記分離帯が熱溶融糸または引抜き糸で編成されている点にある。
【００２３】
分離帯を熱溶融糸で編成すれば、編成後の長尺の筒状の編地の分離帯に、例えばスチームを吹き付ける等の加熱処理を施すことにより、極めて容易に各ピース編地に分断できるようになり、分離帯を引抜き糸で編成すれば、編成後の長尺の筒状の編地の分離帯から引抜き糸を引抜くことにより、各ピース編地に容易に分断できるようになる。
【発明の効果】
【００２４】
以上説明した通り、本発明によれば、ウエスト側となるヘム部の解れ処理を不要にするとともに、アウターを通してヘム部が外観に現れず、着用時にゴロツキ感等が生じない下半身用肌着及び下半身用肌着に用いられるフライス編地を提供することができるようになった。
【図面の簡単な説明】
【００２５】
【図１】（ａ）は本発明による下半身用の肌着の第一の態様を示す正面図、（ｂ）は第二の態様を示す正面図、（ｃ）は第三の態様を示す正面図
【図２】（ａ）はダブル編機で編成された長尺の筒状編地の説明図、（ｂ）はピース編地の説明図
【図３】ダブル編機の説明図
【図４】（ａ）はウエスト部の編成方法を示す組織図、（ｂ）はウエスト部の他の編成方法を示す組織図、（ｃ）はウエスト部のさらに他の編成方法を示す組織図
【図５】（ａ）は第二の態様の肌着の裁断及び製作説明図、（ｂ）は第二の態様の肌着の他の裁断及び製作説明図
【図６】（ａ）は第三の態様の肌着の裁断及び製作説明図、（ｂ）は第一の態様の肌着のさらに他の裁断及び製作説明図
【発明を実施するための形態】
【００２６】
以下、本発明による下半身用の肌着を、ショーツを例にして説明する。
図１（ａ），（ｂ），（ｃ）には、三つの異なる態様のショーツ１が示されている。何れのショーツ１も、ダブル編機によりウエスト部２と身頃部３とがこの順序で編成されたフライス編地で構成され、当該フライス編地はウエスト部２の緊締力が身頃部３より強くなるように編成されている。そして、何れのショーツ１もウエスト側ヘム部に端部処理が施されておらず、別途のウエストゴムも備えていない。
【００２７】
図１（ａ）に示すショーツ１は、ウエスト部２と、前身頃３ａと、後身頃３ｂと、マチ部４とから構成されている。マチ部４を挟んで身生地の左右に脚部開口５が形成され、脚部開口５の縁部には薄手のテープ状ゴム５ａが縫着されている。ウエスト部２及び身頃部３（３ａ，３ｂ）は脇縫いの無いシームレスに構成され、前身頃３ａの下端から延出したマチ部４の端縁が、後身頃３ｂの下端に縫着されている。尚、マチ部４の肌側には綿の天竺生地でなる当て布４ａが身生地に重畳するように縫着されている。図中、マチ部４の腹部側端縁の破線は、当て布４ａの身生地への縫着部位を示し、マチ部４の臀部側端縁の実線は、当て布４ａ及びマチ部４の端縁の縫着部位を示す。
【００２８】
ショーツ１の上縁から脚部開口５上縁に到るウエスト部２は、地糸とともに弾性糸が編み込まれ、脚部開口５上縁から下側の身頃部３は地糸のみで編成されている。従って、ウエスト部２の身体に対する緊締力が身頃部３よりも強く、身体の腰回りから下腹部にかけて適度な締め付け力が作用して良好なフィット感が得られるように構成されている。
【００２９】
図１（ｂ）に示すショーツも、ウエスト部２と、前身頃３ａと、後身頃３ｂと、マチ部４とから構成され、基本的に図１（ａ）と同様に構成されている。ウエスト部２を構成する地糸にのみ弾性糸が編み込まれ、身頃部３は地糸のみで編成されている点で、図１（ａ）のショーツと異なる。従って、ウエスト部２の緊締力が身頃部３よりも強く、ずり落ちることが無い程度に身体の腰回りに適度な締め付け力が作用し、身頃部３に対応する下腹部や臀部では十分に伸張してソフトで楽な穿き心地着が得られるようになる。
【００３０】
図１（ｃ）に示すショーツも、ウエスト部２と、前身頃３ａと、後身頃３ｂと、マチ部４とから構成され、基本的に図１（ｂ）と同様に構成されている。ウエスト部２の前面側及び前身頃３ａに、接ぎ６が設けられている点で、図１（ａ），（ｂ）のシームレス構造と異なる。
【００３１】
図２（ａ）に示すように、何れのショーツも、ダブル編機によりウエスト部２と身頃部３とがこの順序で連続して編成されるとともに、分離帯７を挟んでウエスト部２及び身頃部３が繰り返し編成された長尺で筒状のフライス編地Ｍを用い、図２（ｂ）に示すように、編成後に分離帯７で分離されたピース編地で構成されている。
【００３２】
図３には、当該筒状のフライス編地Ｍを編成する丸編機の一種であるダブル編機１０が示されている。当該ダブル編機１０は、円筒形のシリンダ１２と、このシリンダ１２の上部に設けられた円盤状のダイヤル１３を備えている。シリンダ１２及びダイヤル１３は、回転機構１４によりそれらの軸心Ｐ周りに一方向に一体で回転するように構成されている。
【００３３】
シリンダ１２の外周面には、長手方向を上下方向に向けた多数本のシリンダ針１５が配設され、各々が独自に上下動自在に保持されている。シリンダ１２の周りには定置状態で下部カムブロック１６が設けられ、この下部カムブロック１６の内周面に各シリンダ針１５に所定タイミングで上下動を起こさせるためのシリンダカムが設けられている。
【００３４】
ダイヤル１３の上面には、長手方向をダイヤル１３の径方向に向けた多数本（シリンダ針１５と同数）のダイヤル針１９がその中心から放射状に配設され、各々が独自に横方向（径方向）へ出退動自在に保持されている。ダイヤル１３の上部には上部カムブロック２０が定置状態で設けられ、この上部カムブロック２０の下面に各ダイヤル針１９に出退動作を起こさせるためのダイヤルカムが設けられている。
【００３５】
シリンダ針１５とダイヤル針１９とは交互に交差するように配置され、シリンダ１２及びダイヤル１３を一体回転させることで、それぞれのダイヤルカムに倣ってシリンダ針１５が上下動すると共にダイヤル針１９が横移動する。この状態で、シリンダ針１５の針先（フック部）とダイヤル針１９の針先（フック部）との交差部として形成されるニッティングポイントＲへストライパー２５を介して給糸すれば、筒状のフライス編地Ｍが編み降ろされることになる。
【００３６】
編成された筒状のフライス編地Ｍはシリンダ１２の内方を介して垂れ下げられ、シリンダ１２の下方に吊り枠２２を介して設けられた巻取装置２３によって巻き取られる。フライス編地Ｍの筒径は、編立て方向に裁断することなく筒状のまま身生地に用いることができるようなサイズに設定されている。
【００３７】
ニッティングポイントＲは、シリンダ１２の周方向の複数箇所（例えば１６箇所）に形成され、各ニッティングポイントＲに給糸するためにシリンダ１２外周に同数のストライパー２５が設けられている。ストライパー２５はシリンダ１２等の回転とは無関係に定置され、糸を把持または開放する糸把持部、糸把持部への糸の給糸または非給糸を切り替えるヤーンキャリア、糸把持部に把持された糸を切断するカッター部を備え、所要の時期に糸入れ動作または糸抜き動作が行なわれる。
【００３８】
シリンダ１２には、下部カムブロック１６内のシリンダカムに対して、生地編成途中でシリンダ針１５のカム経路を変更するためのカムポジション切替機構２７が設けられている。このカムポジション切替機構２７は、シリンダカムに対して組み込まれたスイングカムや選針機等で構成され、シリンダ針１５の上昇位置を上げることによるニット位置と、シリンダ針１５の上昇位置を下げることによるタック位置との上下間で、カム経路の切替動作が行なわれる。
【００３９】
同様に、ダイヤル１３にも上部カムブロック２０内のシリンダカムに対して、生地編成途中でダイヤル針１９のカム経路を変更するために、スイングカムや選針機等で構成されたカムポジション切替機構２８が設けられている。
【００４０】
このようなダブル編機１０を用いて、先ずシリンダ１６及びダイヤル１３が一体回転され、捨て編みされた後に所定のストライパー２５から熱溶融糸が給糸されて１〜数コースの分離帯７が編成される。次に、熱溶融糸の給糸が停止され、地糸供給用のストライパー２５から地糸が給糸されるとともに、弾性糸供給用のストライパー２５から弾性糸が供給されてウエスト部２が編成される。
【００４１】
さらに、弾性糸の給糸が停止されて、地糸供給用のストライパー２５から地糸が給糸されて身頃部３が編成され、その後、同様に所定のストライパー２５から熱溶融糸が給糸されて１〜数コースの分離帯７が編成されるという動作が繰り返されて、図２（ａ）に示されたような長尺で筒状のフライス編地Ｍが編成される。尚、熱溶融糸による編成は、シリンダ針１５またはダイヤル針１９の何れか一方のみを用いて平編みで編成されてもよい。
【００４２】
ウエスト部２及び身頃部３を編成する地糸として、単糸繊度が２６番手から１００番手の範囲の紡績糸や、単糸繊度が２２デシテックスから１５６デシテックスの範囲のフィラメント糸が好適に用いられる。このような紡績糸として、綿糸や、レーヨン、キュプラ等の再生繊維糸が挙げられ、フィラメント糸としてポリエステルやナイロン等の合成繊維糸が挙げられるが、これらの例示以外の紡績糸やフィラメント糸を用いることも可能である。
【００４３】
ウエスト部２及び／または身頃部３を編成する弾性糸として、単糸繊度が２２デシテックスから２３５デシテックスの範囲のベアのポリウレタン糸や、シングルカバードヤーン（ＳＣＹ）やダブルカバードヤーン（ＤＣＹ）等のフィラメントツィステッドヤーン（ＦＴＹ）が好適に用いられる。特に芯糸が１７デシテックスから２３５デシテックスのポリウレタン糸で、被覆糸が２３３デシテックスから１２２デシテックスの範囲のシングルカバードヤーン（ＳＣＹ）やダブルカバードヤーン（ＤＣＹ）を用いることが好ましい。被覆糸の素材として綿糸やナイロン糸が好ましいが、これらに限るものではない。尚、身頃部３に弾性糸を編成するのは、例えば、図１（ａ）に示すショーツに対応するような場合である。
【００４４】
熱溶融糸として、地糸に用いられるナイロン糸やポリエステル糸よりも低融点のナイロン系繊維やポリエステル系繊維、さらにはポリウレタン系繊維を用いることができる。
【００４５】
つまり、上述したショーツのような下半身用肌着に用いられるフライス編地Ｍは、ダブル編機によりウエスト部２と身頃部３とがこの順序で連続して編成されるとともに、分離帯７を挟んでウエスト部２及び身頃部３が繰り返し編成され、編成後に分離帯７で分離可能に構成されている。尚、分離帯を編成する糸として熱溶融糸以外に引抜き糸や水溶性糸を用いることも可能である。引抜き糸を用いた場合には、長尺のフライス編地Ｍを編成後に分離帯７を構成する引抜き糸を引き抜くことによりピース編地に分離でき、水溶性糸を用いた場合には、長尺のフライス編地Ｍを編成後に水中に浸漬して水溶性糸を溶解させることによりピース編地に分離できる。
【００４６】
ダブル編機により先ずウエスト部２が編成され、続いて身頃部３が編成されるので、身頃部３のヘム部つまり脚部側は解れ止め処理を行なう必要があるが、ウエスト部２のヘム部は編み始め側であるので、特に解れ止め処理を行なわなくても解れることが無い。
【００４７】
そして、ウエスト部２は身頃部３より緊締力が強くなるように編成されているため、ウエストゴムを縫着しなくてもずり落ちるようなことが無く、ウエスト部２で十分な保持力が得られる。さらに、表目と裏目にループが形成されるフライス編地であるため、表裏両面の張力のバランスが保たれて、表側に編地がカールすることもなく、十分な伸びが確保されて身体への良好なフィット感が得られるようになる。
【００４８】
上述したように、ウエスト部２を構成する編地に弾性糸が編成されることにより、別途のウエストゴム等を用いなくても、ウエスト部２で身体に対する十分な保持力が得られるとともに、身頃部３は十分な伸びが確保されて身体への良好なフィット感が得られる。
【００４９】
ウエスト部２で十分な保持力を得るために、弾性糸に加えて或いは弾性糸を用いずに、ウエスト部２の伸長度を身頃部３より小さく編成することにより、身頃部３よりもウエスト部２の身体への緊締力を強くすることも可能である。
【００５０】
さらに、ウエスト部２を構成する編地に形成されるタック部の編み目数が身頃部３より多く形成されると、それだけ身頃部３に比べて編地の伸び代が制限されるので、ウエスト部２の身体への緊締力が相対的に強くなる。
【００５１】
図１（ａ），（ｂ）に示したように、ダブル編機により編成される筒状の編地をそのまま用いて、ウエスト部２及び身頃部３が脇縫いの無いシームレスに構成されていれば、脇縫いが無く、肌触りのよい下半身用肌着が得られる。
【００５２】
図１（ｃ）に示したように、ダブル編機により編成される筒状の編地の径が大きい場合には、筒状の編地を編立て方向に裁断して、ウエスト部２の前面側及び前身頃３ａに接ぎ６を設けてもよい。
【００５３】
以下に、ウエスト部２及び身頃部３を備えた身生地の編組織を例示する。
図１（ｂ）で説明したショーツ１のように、身頃部３は、例えば弾性糸を用いることなく、地糸のみを用いてオールニットで編成されたフライス編地で構成することができる。さらに、ストライパー２５を介して数十コース単位で色の異なる地糸で糸切り替えすることによりボーダー柄の編地を得ることもできる。
【００５４】
図４（ａ）に示すように、ウエスト部２は、地糸のみ用いてオールニットで１コースの編成と、弾性糸のみ用いてオールニットで１コースの編成とを繰り返すことにより、身頃部３より緊締力が強くなるような編成が例示できる。
【００５５】
また、図４（ｂ）に示すように、地糸のみ用いてオールニットで１コースの編成と、地糸に弾性糸を添わせるプレーティング編のオールニットで１コースの編成とを繰り返すことにより、身頃部３より緊締力が強くなるような編成が例示できる。
【００５６】
さらに、図４（ｃ）に示すように、シリンダ針でオールニット、ダイヤル針でオールタックを１コース編成、シリンダ針及びダイヤル針でオールニットを１コース編成、シリンダ針でオールタック、ダイヤル針でオールニットを１コース編成、シリンダ針及びダイヤル針でオールニットを１コース編成という４コースを単位として編成を繰り返すことにより、身頃部３より緊締力が強くなるような編成が例示できる。
【００５７】
図４（ｃ）の場合、何れかのコースを弾性糸で編成すればよく、或いは何れかのコースを地糸に弾性糸を添わせたプレーティング編で編成すればよい。全てのコースを地糸のみで編成しても、オールニットで構成された身頃部３より伸びが抑制され、ウエストゴム部が不要になる。
【００５８】
これらは、ウエスト部２の緊締力が身頃部３より強くなるような編組織の例示であり、本発明はこれらの編組織に制限されるものではない。
【００５９】
図５（ａ）には、ピース編地の身頃部３の脚部側を裁断して、図１（ｂ）に対応するシームレスのショーツ１を縫製する態様が示されている。左側に示されるピース編地を二点差線の裁断線で裁断し、前身頃３ａ側の下端縁を後身頃３ｂ側に折り返して縫着される。右側に示される図中、実線で示されるマチ部４の臀部側端縁が当て布４ａ及びマチ部４の端縁の縫着部位８となる。
【００６０】
図５（ｂ）には、同じく、左側に示されるピース編地を二点差線の裁断線で裁断し、後身頃３ｂ側の下端縁を前身頃３ａ側に折り返して縫着される。右側に示される図中、実線で示されるマチ部４の腹部側端縁が当て布４ａ及びマチ部４の端縁の縫着部位８となる。縫着部位８を腹部側に設けることにより、図５（ａ）に示す態様よりもヘム部（縫着部位８）がアウターに響くことが無い点で好ましい態様である。
【００６１】
図５（ｃ）には、ピース編地の身頃部３の脚部側を裁断して、図１（ｃ）に類似するシームレスのショーツ１を縫製する態様が示されている。左側に示されるピース編地を二点差線の裁断線で裁断し、前身頃３ａ側の下端縁を後身頃３ｂ側に折り返して縫着されるとともに、前身頃３ａ側の左右端縁を後身頃３ｂ側の左右端縁に縫着されて接ぎ部６が形成される。右側に示される図中、実線で示されるマチ部４の腹部側端縁が当て布４ａ及びマチ部４の端縁の縫着部位８となる。
【００６２】
図６（ａ）には、ピース編地の身頃部３の脚部側を裁断して、シームレスのショーツ１を縫製する態様が示されている。左側に示されるピース編地を二点差線の裁断線で裁断し、別生地で構成されるマチ部４が縫着される。右側に示される図中、実線で示されるマチ部４の腹部側及び臀部側端縁が当て布４ａ及びマチ部４の端縁の縫着部位８となる。図５（ａ），（ｂ），（ｃ）に示す態様よりもピース編地の利用効率がよくなり、裁断屑が少なくなる。
【００６３】
図６（ｂ）には、ピース編地の身頃部３の脚部側を裁断して、シームレスのボクサータイプのショーツ１を縫製する態様が示されている。左側に示されるピース編地を二点差線の裁断線で裁断し、別生地で構成されるマチ部４が縫着される。右側に示される図中、実線で示されるマチ部４の大腿部内側端縁が当て布４ａ及びマチ部４の端縁の縫着部位８となる。この態様によれば、さらにピース編地の利用効率がよくなる。
【００６４】
ウエスト部２の上下幅は特に限定されるものではなく、図１（ａ）に示したような下腹部に到る幅広形状や、身生地３の上縁に細幅に配置した形状等、任意である。また、例えば、身頃部またはウエスト部を上方に延出して、腹巻付きのショーツとすることも可能である。
【００６５】
上述した実施形態では、ショーツを例に本発明による下半身用肌着を説明したが、本発明による下半身用肌着はショーツに限るものではなく、ウエスト部を備える任意の下半身用肌着に適用できる。
【００６６】
上述した説明は本発明の一例であり、該記載により本発明の範囲が限定されることはなく、編地を構成する糸の種類、太さ編組織等は、本発明の作用効果が奏される範囲で適宜変更設計可能であることはいうまでもない。
【産業上の利用可能性】
【００６７】
本発明は、ウエスト側となるヘム部の解れ処理を不要にするとともに、アウターを通してヘム部が外観に現れず、着用時にゴロツキ感等が生じないショーツやボクサーパンツ等の下半身用肌着に好適に使用できる。
【符号の説明】
【００６８】
１：ショーツ
２：ウエスト部
３：身頃部
３ａ：前身頃
３ｂ：後身頃
４：マチ部
５：脚部開口
６：接ぎ部
７：分離帯
【図１】
2014227626.tif 000003
【図２】
2014227626.tif 000004
【図３】
2014227626.tif 000005
【図４】
2014227626.tif 000006
【図５】
2014227626.tif 000007
【図６】
2014227626.tif 000008